(57)【要約】【課題】顧客がクーポンを手軽にかつ有効に利用でき、顧客の再利用を促進することができる画像出力システムを提供する。【解決手段】ユーザ（顧客）は、二次元コード読取機３０９に携帯電話１０７やレシート１０９をかざす。画像出力装置１０５の制御部５０１は、二次元コード読取機３０９より読み取ったクーポンデータ３２７をサーバ１０１に送信する（ステップＳ２１）。サーバ１０１の制御部２０１は、クーポンデータ３２７と顧客情報データ８００を照合し、（ステップＳ２２）一致した場合（ステップＳ２３のＹｅｓ）、画像出力装置１０５は画像データ処理を行う（ステップＳ２７）。【選択図】図１１
2008083915.tif 000002
【特許請求の範囲】
【請求項１】
サーバと、複数の画像出力装置がネットワークを介して接続されたシステムであって、
前記画像出力装置は、
携帯端末またはレシートに表示されたクーポンデータを読み取る手段と、
読み取ったクーポンデータを前記サーバに送信する手段と、
を具備し、
前記サーバは、受信した前記クーポンデータと、前記サーバの保有する顧客データとを照合し、一致した場合、一致情報を前記画像出力装置に送信する送信手段を具備し、
前記画像出力装置は、前記サーバから一致情報を受信すると、前記クーポンデータに基づいて課金する課金手段を具備することを特徴とする画像出力システム。
【請求項２】
前記クーポンデータは、携帯端末の画面上に二次元コードとして表示されることを特徴とする請求項１記載の画像出力システム。
【請求項３】
前記クーポンデータは、レシート上に二次元コードとして印刷されることを特徴とする請求項１記載の画像出力システム。
【請求項４】
前記顧客データは、前記画像出力装置または前記サーバに接続可能な端末より登録されることを特徴とする請求項１記載の画像出力システム。
【請求項５】
前記クーポンデータは、電子マネーにチャージ可能であることを特徴とする請求項１記載の画像出力システム。
【請求項６】
複数の画像出力装置とネットワークを介して接続されたサーバであって、
予め登録された顧客データと、画像出力装置から受信したクーポンデータとを照合し、一致した場合、一致情報を前記画像出力装置に送信する送信手段を具備することを特徴とするサーバ。
【請求項７】
ネットワークを介してサーバと接続された画像出力装置であって、
携帯端末またはレシートに表示されたクーポンデータを読み取る手段と、
読み取ったクーポンデータを前記サーバに送信する手段と、
前記サーバから、前記クーポンデータとサーバの保有する顧客データとの一致情報を受信すると、前記クーポンデータに基づいて課金する課金手段と、
を具備することを特徴とする画像出力装置。
【請求項８】
前記クーポンデータは、携帯端末の画面上に二次元コードとして表示されることを特徴とする請求項７記載の画像出力装置。
【請求項９】
前記クーポンデータは、レシート上に二次元コードとして印刷されることを特徴とする請求項７記載の画像出力装置。
【請求項１０】
コンピュータを請求項６記載のサーバとして機能させるプログラム。
【請求項１１】
コンピュータを請求項７乃至９記載の画像出力装置として機能させるプログラム。
【発明の詳細な説明】
【技術分野】
【０００１】
本発明は、画像出力システム等に関する。
【背景技術】
【０００２】
近年、画像出力装置（デジタルフォトプリント装置等）が写真店、家電量販店、ショッピングモール等に設置され、利用されている。この画像出力装置は、デジタルカメラ等で撮像した画像、記録媒体に記録されている画像データ等を読み込んで、画像編集、画像合成、プリント出力等を行う（例えば、［特許文献１］参照。）。
【０００３】
一般利用者（顧客）は、自分のデジタルカメラで撮影した画像データを記録した記録媒体を持参して画像出力装置に読み取らせ、あるいは、その場で撮影を行い、必要に応じて画像編集処理等を行い、出力サイズ、出力枚数等を指定して高精細なカラープリントを出力し、そのまま持ち帰ることができる。
【０００４】
【特許文献１】特開２００２−４６３２４号公報
【発明の開示】
【発明が解決しようとする課題】
【０００５】
しかしながら、このような画像出力装置には、シールプリントや画質補正等のプリント機能に関する付加価値はついているが、顧客へのサービスといったマーケティング上の付加価値は少ない。
【０００６】
本発明は、以上の問題点に鑑みてなされたものであり、顧客がクーポンを手軽にかつ有効に利用でき、顧客の再利用を促進することができる画像出力システムを提供する。
【課題を解決するための手段】
【０００７】
前述した目的を達成するために第１の発明は、サーバと、複数の画像出力装置がネットワークを介して接続されたシステムであって、前記画像出力装置は、携帯端末またはレシートに表示されたクーポンデータを読み取る手段と、読み取ったクーポンデータを前記サーバに送信する手段と、を具備し、前記サーバは、受信した前記クーポンデータと、前記サーバの保有する顧客データとを照合し、一致した場合、一致情報を前記画像出力装置に送信する送信手段を具備し、前記画像出力装置は、前記サーバから一致情報を受信すると、前記クーポンデータに基づいて課金する課金手段を具備することを特徴とする画像出力システムである。
【０００８】
第１の発明の画像出力システムでは、画像出力装置は、携帯端末またはレシートに表示されたクーポンデータを読み取り、読み取ったクーポンデータをサーバに送信する。サーバは、受信したクーポンデータと、サーバの保有する顧客データとを照合し、一致した場合、一致情報を画像出力装置に送信する。画像出力装置は、前記サーバから一致情報を受信すると、クーポンデータに基づいて課金処理を行う。
【０００９】
クーポンデータは、携帯端末の画面上またはレシート上に二次元コードとして表示または印刷される。
【００１０】
顧客データは、画像出力装置またはサーバに接続可能な他の端末より登録される。サーバに接続可能な他の端末とは、例えば自宅のパーソナルコンピュータや携帯電話等であり、インターネット経由で登録することができる。
【００１１】
また、クーポンデータは、電子マネーにチャージ可能である。
【００１２】
第２の発明は、複数の画像出力装置とネットワークを介して接続されたサーバであって、予め登録された顧客データと、画像出力装置から受信したクーポンデータとを照合し、一致した場合、一致情報を前記画像出力装置に送信する送信手段を具備することを特徴とするサーバである。
【００１３】
第３の発明は、ネットワークを介してサーバと接続された画像出力装置であって、携帯端末またはレシートに表示されたクーポンデータを読み取る手段と、読み取ったクーポンデータを前記サーバに送信する手段と、前記サーバから、前記クーポンデータとサーバの保有する顧客データとの一致情報を受信すると、前記クーポンデータに基づいて課金する課金手段と、を具備することを特徴とする画像出力装置である。
【００１４】
第４の発明は、コンピュータを第２の発明のサーバとして機能させるプログラムである。
第５の発明は、コンピュータを第３の発明の画像出力装置として機能させるプログラムである。
【００１５】
上述のプログラムをＣＤ−ＲＯＭ等の記録媒体に保持させて流通させてもよいし、このプログラムを通信回線を介して送受することもできる。
【発明の効果】
【００１６】
本発明によれば、顧客がクーポンを手軽にかつ有効に利用でき、顧客の再利用を促進することができる画像出力システムを提供することができる。
【発明を実施するための最良の形態】
【００１７】
以下、添付図面を参照しながら、画像出力システム等の好適な実施形態について詳細に説明する。
【００１８】
最初に、図１を参照しながら、本発明の実施の形態に係る画像出力システム１００の構成について説明する。
図１は、画像出力システム１００の構成を示す図である。
【００１９】
図１に示すように、画像出力システム１００は、サーバ１０１と、複数の画像出力装置１０５がネットワーク１０３を介して接続されている。画像出力装置１０５は、街頭端末（ＫＩＯＳＫ端末）として店舗内や街頭に設置される。
【００２０】
画像出力システム１００において、画像出力装置１０５は二次元コード読取機３０９（図３で後述する。）を有し、二次元コード読取機３０９が携帯電話１０７またはレシート１０９等に表示された二次元コードを読み取ることにより画像出力装置１０５に情報が入力される。
【００２１】
ネットワーク１０３は、インターネット、ローカルエリアネットワーク（ＬＡＮ）、社内ＬＡＮ等のネットワークであり、有線、無線を問わない。
尚、サーバ１０１は、サーバコンピュータ等であり、ネットワーク１０３を介して、各種情報を提供する。
【００２２】
次に、図２を参照しながら、サーバ１０１の概略構成について説明する。
図２はサーバ１０１のハードウエア構成図である。
図２に示すように、サーバ１０１は、制御部２０１、記憶部２０３、通信部２０５、表示部２０７、入力部２０９、入出力部２１１等がバス２１３を介して互いに接続されて構成される。
【００２３】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等を有する。
【００２４】
ＣＰＵは、記憶装置、ＲＯＭ、記録媒体等に格納されるプログラムをＲＡＭ上のワークメモリ領域に呼び出して実行し、演算処理、動作制御等を行い、各種機能を実現する。
ＲＯＭは、不揮発性メモリであり、プログラム、データ等を恒久的に保持し、ＲＡＭは、揮発性メモリであり、プログラム、データ等を一時的に保持する。
【００２５】
記憶部２０３は、データを記憶する装置であり、ハードディスク、メモリ等を有する。記憶部には、ＣＰＵが実行するプログラム、プログラム実行に必要なデータ、ＯＳ（Ｏｐｅｒａｔｉｎｇ  Ｓｙｓｔｅｍ）等が格納される。
【００２６】
プログラムは、例えば、サーバ１０１内の処理を実行するプログラム、ＣＧＩ（Ｃｏｍｍｏｎ  Ｇａｔｅｗａｙ  Ｉｎｔｅｒｆａｃｅ）プログラム、ＡＳＰ（Ａｃｔｉｖｅ  Ｓｅｒｖｅｒ  Ｐａｇｅｓ）プログラム等である。
【００２７】
通信部２０５は、サーバ１０１とネットワーク１０３間の通信を媒介する通信インタフェースであり、通信制御装置、通信ポート等を有する。
【００２８】
表示部２０７は、ＣＲＴモニタ、液晶パネル等のディスプレイ装置、ディスプレイ装置と連携してコンピュータのビデオ機能を実現するための論理回路等（ビデオアダプタ等）を有する。
【００２９】
入力部２０９は、データの入力を行い、例えば、キーボード、マウス等のポインティングデバイス、テンキー等の入力装置を有する。
入力部２０９を介して、サーバ１０１に対して、操作指示、動作指示、データ入力、維持管理等を行うことができる。
【００３０】
入出力部２１１は、データの入出力を行い、例えば、フレキシブルディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
バス２１３は、各装置間の制御信号、データ信号等の授受を媒介する経路である。
【００３１】
また、プリンタ装置等を有する出力部（図示しない）等を設け、サーバ１０１の維持管理等に用いるようにしてもよい。
尚、同様の構成を採るサーバコンピュータ等をサーバ１０１として用いることができる。
【００３２】
図３は、画像出力システム１００における画像出力装置１０５の１例である。図３に示すように、画像出力装置１０５は、画像データ読込書込手段３０１、画像編集手段３０３、プリンタ３０５、課金手段３０７、二次元コード読取機３０９、ユーザ情報送信手段３１１、クーポン発行手段３１３等を備える。
【００３３】
画像データ読込書込手段３０１は、被写体３２１や原稿３２３を画像入出力部５０９（図５）より読み取ったり、予め画像データが記録された記録メディア３２５から読み取ったりすることにより、画像データを取得する。また、画像データ読込書込手段３０１は、画像出力装置１０５が作成した画像データを記録メディア３２５に記録することもできる。
記録メディア３２５は、例えば、スマートメディア、コンパクトフラッシュ（登録商標）カード（ＣＦカード）、ＳＤカード、メモリースティック、フロッピー（登録商標）ディスク、ＰＣカード、ＣＤ−ＲＯＭ等である。
【００３４】
画像編集手段３０３は、１つ以上の入力または選択した画像データに対して、落書き、スタンプのような加工、画像データの切抜き、変倍、切抜いた画像の他の画像への貼付け等、合成編集等を対話的に行う対話型インタフェース手段と画像処理プログラムで構成される。
【００３５】
プリンタ３０５は、高解像度のカラープリンタである。このプリンタ３０５は、複数台設置されてもよく、昇華型あるいはインクジェット型などの方式は問わない。プリント物３２７は、プリント出力された撮像による証明写真、デジタルカメラ画像等による写真、シールプリント、はがき等である。
課金手段３０７は予め投入された金額に応じて、画像出力装置１０５の各種機能を有効とする
【００３６】
二次元コード読取機３０９は、携帯電話１０７やレシート１０９に表示された二次元コード６０３、７０１等の読み取りを行うための読取装置である。二次元コード６０３、７０１にはユーザ（顧客）固有の各種情報が含まれる。二次元コード６０３、７０１は、水平方向、垂直方向に情報を持ったコードであり、小さい面積で、数百文字から数千文字の情報を含むことができる。二次元コードとしては、例えばＱＲコード（登録商標）等がある。
【００３７】
ユーザ情報送受信手段３１１は、二次元コード読取機３０９から読み取ったユーザ情報を、ネットワーク１０３を介してサーバ１０１に送信したり、サーバ１０１から新規のクーポン情報を受信したりする手段である。
【００３８】
クーポン発行手段３１３は、サーバ１０１から送られてきた情報をもとに、レシート上にクーポンを出力する手段である。クーポンは、ユーザ（顧客）の画像出力装置１０５における利用状況に基づいてレシート等に二次元コードとして印刷される。
【００３９】
また、画像出力装置１０５にＩＣカードリーダライタ（図示せず。）を内蔵あるいは外部接続し、電子マネーのサーバと接続することによって、クーポンを電子マネーにチャージする等の仕組みを付加してもよい。
【００４０】
次に、図４を参照しながら、画像出力装置１０５の外観構成について説明する
図４は、画像出力装置１０５の外観斜視図である。
【００４１】
画像出力装置１０５の上段部正面には、タッチパネル付きモニタ等であるモニタ４０１が配置されている。モニタ４０１は、操作の案内や、操作の状況や、読み取った画像或いは編集加工した画像等を表示する表示手段としての機能を発揮する。
【００４２】
モニタ４０１の画面の右には、メディア挿入口４０３が設置される。上段部と下段部を分けている水平部には、プリント物の画像を読み取ってデジタルデータ化するスキャナ４０５が設置される。また、モニタ４０１の画面の上には、デジタルカメラ等の撮像装置により被写体を撮像するためのレンズ窓４０７が設置される。これらのメディア挿入口４０３、スキャナ４０５、レンズ窓４０７は、画像データ読込書込手段３０１の一部を構成する。
【００４３】
メディア挿入口４０３は、各種メディア（スマートメディア、コンパクトフラッシュ（登録商標）カード（ＣＦカード）、フロッピー（登録商標）ディスク、ＰＣカード、ＣＤ−ＲＯＭ等）の挿入口であり、フロッピー（登録商標）ディスク挿入口、ＣＤ−ＲＯＭ挿入口、ＰＣカード挿入口、スマートメディア挿入口、コンパクトフラッシュ（登録商標）挿入口等がひとまとめの位置に配置されている。
【００４４】
また、画像出力装置１０５の筐体内には上記各記録メディアの挿入口４０３に対応して、それぞれの読取書込装置の本体が設置されている。各挿入口には、手数料の徴収が完了するまで記録メディアを取り出せないように、シャッタ（図示しない）を備えても良い。
【００４５】
モニタ４０１の画面の下には二次元コード読取機３０９が設けられる。二次元コード読取機３０９は、携帯電話１０７やレシート１０９に表示された二次元コード６０３、７０１（図６、図７で後述する。）を読み取る。二次元コード６０３、７０１は、多くの情報を格納できるコードであり、二次元コード読取機３０９は、二次元コードを読み取る。
【００４６】
画像出力装置１０５の下段部には、メンテナンスキー４０７、料金投入口（紙幣挿入口４１１、硬貨投入口４１３）、返却レバー４１５、返却口４１７、レシート取出口４１９、プリント物取出口４２１、スピーカ４２３、ドア開閉キー４２７等がそれぞれ配置されている。
【００４７】
メンテナンスキー４０７は、一般利用者（顧客）を受け付けることのできる通常の顧客用の運転モードと、管理者等がメンテナンスを行うメンテナンスモードとを切り替えるキーである。
【００４８】
料金投入口（紙幣挿入口４１１、硬貨投入口４１３）、返却レバー４１５、返却口４１７、レシート取出口４１９は、課金手段３０７の一部を構成する。
顧客は、紙幣挿入口４１１に紙幣を挿入したり、硬貨投入口４１３に硬貨を投入したりすることにより、料金を支払う。釣銭がある場合には返却口４１７から放出されるので、顧客はそれを受け取る。また、注文を取りやめる場合や硬貨が詰まった時には返却レバー４１５を回すことにより返却口４１７から放出されるので、顧客はそれを受け取る。
【００４９】
料金を徴収した後、レシート取出口４１９から徴収した金額や注文内容が印刷されたレシート１０９が放出される。レシート１０９にはユーザの利用状況に応じてクーポンデータ３２７を含んだ二次元コード７０１が印刷される場合もある。
【００５０】
プリント物取出口４２１は、プリンタ３０５の出力部分である。利用者は、タッチパネルボタンに触れるなどしてプリント実行を指示した後、プリント物取出口４２１から放出されるプリント物３２７を受け取る。
スピーカ４２３は、待機中や操作中に音声、ＢＧＭ、効果音などを再生する。
【００５１】
また、外観からは明確に認識できないが、画像出力装置１０５の筐体内には、画像出力装置１０５の各構成部分を制御するための制御部を含むパソコンや、電圧の変換を行う電源ボックス、停電時に制御部のＣＰＵやハードディスク等の破損を防ぐ無停電電源装置等が設置される。
【００５２】
次に、図５を参照しながら、画像出力装置１０５の概略構成について説明する。
図５は、画像出力装置１０５のハードウエア構成図である。
【００５３】
画像出力装置１０５は、制御部５０１、ハードディスク５０３、入出力部５０５（ＣＤ−ＲＯＭドライブ装置、キーボード、マウス等）、通信制御部５０７、画像入出力部５０９、シャッタ５１１（１〜ｎ）、モニタ４０１（タッチパネル付き）、コインメック５１３、ビルバリ５１５、レシートジャーナル処理部５１７、プリンタ３０５、二次元コード読取機３０９等が、バス５２１を介して接続される。
【００５４】
制御部５０１は、ＣＰＵ、ＲＯＭ、ＲＡＭ等で構成され、大容量記憶媒体としてのハードディスク５０３に格納されたプログラムに従って、バス５２１を介して接続された各装置を駆動制御する。
【００５５】
ハードディスク５０３には、各構成部分を駆動制御するプログラム、例えば各記録メディア３２５に対応する読取書込プログラム、シャッタの開閉制御プログラム、課金プログラム等の他に、画像編集手段３０３の一部として入力または選択された画像を編集加工するための画像処理プログラム、対話型メニューをモニタ４０１に表示し、プリンタ３０５に対してプリント条件を設定して、プリント開始を指示するプログラム等が格納されている。
【００５６】
これらの各プログラムコードは、制御部５０１により必要に応じて読み出されてＲＡＭに移され、ＣＰＵに読み出されて各種の手段として実行される。
【００５７】
入出力部５０５（ＣＤ−ＲＯＭドライブ装置、キーボード、マウス等）は、制御部５０１のＲＯＭやハードディスク５０３に記憶されているプログラムや情報をバージョンアップ、あるいは、画像出力システム１００の動作設定、機器設定等の設定を行う際に用いられ、メンテナンスキーにより本体部をメンテナンスモードに切り替えて、入出力部５０５にバージョンアップ用のＣＤ−ＲＯＭを挿入し、データの書き換えを行ったり、設定データを入力して設定を行う。
【００５８】
通信制御部５０７は、通信制御装置、通信ポート等であり、ネットワーク１０３を介して、画像出力装置１０５とサーバ１０１間の通信制御を行う。
画像入出力部５０９は、デジタルカメラ、スキャナ等からなり、画像データ読込書込手段３１１に相当する。
【００５９】
シャッタ５１１は、メディア挿入部４０３に設けられ、当該メディア挿入部４０３を開閉し、読取処理の最中に記録メディアを取り出せないようにしたり、課金等の処理が完了するまで記録メディアを取り出せないようにすることができる。
【００６０】
モニタ４０１に表示された操作案内に従って、同モニタ４０１に表示されたタッチパネルボタンを選択し触れることにより、プリントモードの選択およびオリジナル画像データの読み込みから、加工、合成編集、プリント物３２７の出力までの一連の操作を行うことができる。
【００６１】
コインメック５１３、ビルバリ５１５、レシートジャーナル処理部５１７は、課金手段３０７に相当し、硬貨投入、紙幣挿入の受付や、レシート１０９の発行を行う。レシートジャーナル処理部５１７は、課金手段３０７の他に、クーポン発行手段３１３の一部も構成する。レシートジャーナル処理部５１７には、データを二次元コードに変換して出力する二次元コードライタ（図示せず。）を内蔵してもよい。
【００６２】
二次元コード読取機３０９は、携帯電話１０７やレシート１０９に表示された二次元コード６０３、７０１等を読み込む。
プリンタ３０５は、画像の印刷出力処理を行う。
【００６３】
次に、図６、７を参照しながら、画像出力システム１００における携帯電話１０７、レシート１０９の二次元コード６０３、７０１について説明する。
図６に示すように携帯電話１０７には表示部６０１が設けられ、表示部６０１には、利用者の操作に応じて各種情報が表示される。画像出力システム１００においては、携帯電話１０７がサーバ１０１等から受信した二次元コード６０３が表示される。二次元コード６０３には、クーポンデータ３２７等が格納される。
【００６４】
図７はレシート１０９を示す。レシート１０９には、料金の領収を示す文字が印字される。また、レシート１０９には、二次元コード７０１が表示される。二次元コード７０１には、二次元コード６０３と同様に、クーポンデータ３２７等が格納される。また、レシート１０９の二次元コード７０１には、クーポンデータ３２７以外に、運用側、即ち端末運営会社や広告主によって広告情報が付加される場合もある。広告情報は、二次元コード７０１中に含まれるリンクの情報等を用いてサーバ１０１と接続された画像出力装置１０５等から閲覧することもできる。また、レシート１０９に文字情報で広告を掲載する場合もある。
【００６５】
次に、図８を参照しながら顧客情報データ８００について説明する。図８はサーバ１０１で管理される顧客情報データ８００を示す。図８に示すように顧客情報データ８００は、顧客ＩＤ８０１、固有情報８０３、使用（購入）履歴８０５、クーポン情報８０７等で構成される。
【００６６】
顧客ＩＤ８０１は、顧客固有の識別番号である。固有情報８０３は、顧客固有の情報であり、氏名８１１、住所８１３、電話番号８１５、性別８１７、生年月日８１９等からなる。使用（購入）履歴８０５は、該当顧客が画像出力装置１０５を利用した日付や利用金額等である。クーポン情報８０７は、クーポンの情報である。クーポン情報８０７は、期限８２１や割引額８２３等から構成される。
期限８２１は現在有効なクーポンの使用期日を示す。割引額８２３はクーポンの金額や割引率等のサービス内容を示す。
【００６７】
次に図９を参照しながら、クーポンデータ３２７について説明を行う。図９はクーポンデータ３２７を示す。クーポンデータ３２７は、携帯電話１０７の二次元コード６０３、レシート１０９の二次元コード７０１に含まれ、顧客ＩＤ９０１、クーポン情報９０３等で構成される。
顧客ＩＤ９０１は顧客固有の識別番号であり、図８の顧客ＩＤ８０１と同様のものである。クーポン情報９０３はクーポンの情報であり、図８のクーポン情報８０７と同様のものである。クーポン情報９０３には、クーポンの期限や割引額、割引率等のデータが含まれる。
【００６８】
次に図１０を参照しながら、画像出力システム１００における新規の顧客登録の際の動作について説明を行う。図１０は、新規の顧客登録の際の画像出力システム１００におけるサーバ１０１及び画像出力装置１０５の動作を示すフローチャートである。
【００６９】
新規に利用するユーザ（顧客）は、画像出力装置１０５のモニタ４０３上のタッチパネル等から登録に必要なデータ（例えば、氏名、住所等）を入力する。
画像出力装置１０５の制御部５０１は、モニタ４０３より入力された登録データをサーバ１０１に送信する（ステップＳ１１）。
【００７０】
サーバ１０１の制御部２０１は、顧客ＩＤ８０１を決定し、顧客ＩＤ８０１と、顧客情報データ８００に画像出力装置１０５から受信したデータを書き込む（ステップＳ１２）。また、新規登録の際に発行されるクーポンの情報が、顧客情報データ８００のクーポン情報８０７に書き込まれる。
【００７１】
制御部２０１は、顧客情報データ８００のクーポン情報８０７と顧客ＩＤ８０１を画像出力装置１０５に送信する（ステップＳ１３）。
【００７２】
画像出力装置１０５の制御部５０１は、サーバ１０１から受信したデータをレシートジャーナル処理部５１７等に出力する（ステップＳ１４）。ユーザ（顧客）は、クーポンデータ３２７が二次元コード７０１として印刷された紙等（図示せず。）を受け取る。この紙等はレシート１０９と同様に、写真プリント等の際に画像出力装置１０５の二次元コード読取機３０９にかざすことにより使用することができる。
【００７３】
以上の過程を経て、画像出力装置１０５から入力された顧客の登録データは、サーバ１０１に送信され、サーバ１０１の顧客情報データ８００に記録される。
以上のように、顧客登録を行った新規顧客に対し、画像出力装置１０５において即時にクーポンを発行することによって、新規顧客は最初の利用時から割引等のサービスを受けることができる。
【００７４】
図１０に示すように、画像出力装置１０５からユーザ（顧客）登録をする以外に、サーバ１０１に対して自宅のパーソナルコンピュータ等からインターネット等のネットワークを介してユーザ（顧客）登録をすることもできる。この場合、自宅のパーソナルコンピュータ等に接続されたプリンタにクーポンデータ３２７を含む二次元コードを出力してもよい。また、携帯電話１０７にクーポンデータ３２７を含む二次元コード６０３をダウンロードしてもよい。
【００７５】
また、クーポン発行のタイミングは新規のユーザ登録時に限られない。サーバに予め登録されたクーポン発行機能に基づいて適宜クーポンが発行されたり、管理者が必要に応じてクーポン発行の操作を行ったりすることもできる。
【００７６】
次に図１１〜図１３を参照しながら、クーポンを利用した画像出力処理について説明を行う。図１１はクーポンを利用した画像出力システム１００におけるサーバ１０１及び画像出力装置１０５の動作を示すフローチャートである。
【００７７】
クーポンを利用してプリント等の画像データ処理を行うユーザ（顧客）は、二次元コード読取機３０９に携帯電話１０７やレシート１０９をかざす。このとき、携帯電話１０７の表示部６０１には、図６に示すように二次元コード６０３が表示されている。画像出力装置１０５の制御部５０１は、二次元コード読取機３０９から入力されたクーポンデータ３２７をサーバ１０１に送信する（ステップＳ２１）。この場合、携帯電話１０７やレシート１０９がなくても、顧客ＩＤ９０１を直接入力することにより、クーポンを利用できる仕組みを設けてもよい。
【００７８】
サーバ１０１の制御部２０１は、画像出力装置１０５から受信したクーポンデータ３２７と記憶部２０３の顧客情報データ８００を照合する（ステップＳ２２）。
【００７９】
クーポン情報が一致しない場合（ステップＳ２３のＮｏ）、すなわちクーポンデータ３２７が無効である場合、制御部２０１はエラーステータスを画像出力装置１０５に送信する（ステップＳ２４）。画像出力装置１０５の制御部５０１は、サーバ１０１からエラーステータスを受け取ると、モニタ４０３にエラーメッセージを出力する（ステップＳ２５）。
【００８０】
クーポン情報が一致した場合（ステップＳ２３のＹｅｓ）、サーバ１０１の制御部２０１は、正常終了のステータスを画像出力装置１０５に送信する（ステップＳ２６）。画像出力装置１０５は画像データ処理を行う（ステップＳ２７）。
【００８１】
図１２はステップＳ２７の画像データ処理における画像出力装置１０５の動作を示すフローチャートである。
【００８２】
まず、画像出力装置１０５の制御部５０１は、サービスの内容、手順、案内等を示すメニュー画面を、モニタ４０１に表示し、利用者に機能選択させる。（ステップＳ３１）。
制御部５０１は、画像入出力部５０９を介して、画像データを取得する（ステップＳ３２）。利用者は、画像データの入力に際し、記録メディア３２５からの読み取り、スキャナからの読み取り、撮像装置（デジタルカメラ等）による被写体の撮像等の方法を選択する。
【００８３】
制御部５０１は、利用者の指示に基づいて、画像の加工、編集、合成等を行う（ステップＳ３３）。画像の加工、編集、合成は、例えば、入力画像データ同士、フレーム画像、既存画像等の合成、塗色、文字入力、移動、拡大・縮小、はがきデータ作成等である。
【００８４】
制御部５０１は、色修正、リサイズ、トリミング、レイアウト、文字・ロゴ合成等の画像処理を行う（ステップＳ３４）。
【００８５】
制御部５０１は、画像処理した画像データをメモリ、ハードディスク装置等に保持する（ステップＳ３５）。
【００８６】
次に、制御部５０１は課金処理を行う（ステップＳ３６）。図１３はステップＳ３６の課金処理におけるサーバ１０１及び画像出力装置１０５の動作を示すフローチャートである。制御部５０１は、利用者の注文内容（出力形態（写真プリント、シールプリント、インデックスプリント、はがきプリント等）、プリント枚数等）、また入力されたクーポン情報９０３の内容に応じて課金処理を行う（ステップＳ４１）。
【００８７】
制御部５０１は、ステップＳ４１における課金の情報をサーバ１０１に送信する（ステップＳ４２）。サーバ１０１の制御部２０１は、画像出力装置１０５から受信した課金情報等をもとに顧客情報データ８００の更新を行う（ステップＳ４３）。即ち、使用（購入）履歴８０５にデータを追加したり、クーポン情報８０７を更新したりする。
【００８８】
新しく発行するクーポンがない場合（ステップＳ４４のＮｏ）、制御部２０１は、終了ステータスを画像出力装置１０５に送信する（ステップＳ４５）。新しくクーポンを発行する場合（ステップＳ４４のＹｅｓ）、制御部２０１は更新されたクーポン情報８０７を画像出力装置１０５に送信する（ステップＳ４６）。
【００８９】
画像出力装置１０５の制御部５０１は、サーバ１０１から受信した情報をもとにレシート発行処理を行う（ステップＳ４７）。すなわち、新しくクーポンが発行された場合には、レシート１０９を発行する時に、新しいクーポンデータ３２７を二次元コードに変換し、レシート１０９上にクーポンデータ３２７を含む二次元コード７０１を印刷する。
【００９０】
課金処理が終了すると、画像出力装置１０５の制御部５０１は、ステップＳ３５で保持した画像データを、出力可能となった印刷装置に転送し、印刷出力処理を行う（ステップＳ３７）。
画像データ処理を続ける場合にはステップＳ３１に戻ってもよい。
【００９１】
以上の過程を経て、画像出力システム１００は、二次元コード読取機３０９から入力されたクーポンデータ３２７をもとに画像データ処理に対する課金処理を行う。課金処理の結果は直ちにサーバ１０１に送信され、サーバ１０１の顧客情報データ８００が更新される。
【００９２】
このように画像出力システム１００においては、携帯電話１０７やレシート１０９上の二次元コードに格納されたＩＤやクーポン情報を用いて簡単に割引等の顧客サービスが行える。これにより、顧客の、画像出力装置１０５を用いた写真のプリント等の再利用を促進することができる。また、あらかじめユーザ（顧客）情報を登録することによって、顧客管理を一括して行うことができるので、顧客サービスの拡大等についても容易に対応することが可能である。
【００９３】
また、ポイントカードの発行をせずに顧客サービスを行うことができるため、カード発行に必要なコストや手間を削減できる。また顧客も、ポイントカードを利用の都度持ち歩く必要がないので、財布がかさばるというような煩わしさもなくなる。
さらに、クーポンの使用の際にサーバが保持するデータと照合することによって、クーポンデータの不正使用を防止することもできる。即ち、クーポンを重複して使用するのを防ぐことができる。
【００９４】
また、画像出力システム１００は、現存する機器に二次元コード読取機等を内蔵する等の対応で構築することが可能である。従って新規の機器を導入したり、システムの大規模な修正をしたりする必要がない。
【００９５】
以上、添付図面を参照しながら、本発明にかかる画像出力システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【００９６】
以上のように、サーバ１０１と画像出力装置１０５の分散処理について説明を行ったが、画像出力装置１０５単体で以上のような処理を行ってもよい。即ち、顧客管理およびクーポンの発行を画像出力装置１０５毎に行ってもよい。
【００９７】
また、ユーザに対する割引の情報であるクーポンを発行する以外に、数値を貯める方式、即ちポイントを発行する方式にしてもよい。この場合も、クーポンと同様に、ユーザの使用実績等によってポイントを付与し、ユーザに還元することができる。
【００９８】
また、画像出力システム１００においては、電子マネーのシステムと連動することによって、クーポンを電子マネーにチャージすることもできる。電子マネーにチャージする場合には、画像出力装置１０５で使用する場合と還元率を変える等サービスの差別化を図ることもできる。
【図面の簡単な説明】
【００９９】
【図１】本発明における画像出力システム１００の概略構成図
【図２】サーバ１０１のハードウエア構成図
【図３】画像出力装置１０５の構成を示すブロック図
【図４】画像出力装置１０５の外観斜視図
【図５】画像出力装置１０５のハードウエア構成図
【図６】携帯電話１０７の概略構成図
【図７】レシート１０９の概略構成図
【図８】顧客情報データ８００の一態様を示す図
【図９】クーポンデータ３２７の一態様を示す図
【図１０】顧客情報登録の際の画像出力システム１００におけるサーバ１０１及び画像出力装置１０５の動作を示すフローチャート
【図１１】画像出力システム１００におけるサーバ１０１及び画像出力装置１０５の動作を示すフローチャート
【図１２】画像データ処理（図１１のステップＳ２７）における画像出力装置１０５の動作を示すフローチャート
【図１３】課金処理（図１２のステップＳ３６）におけるサーバ１０１及び画像出力装置１０５の動作を示すフローチャート
【符号の説明】
【０１００】
１００………画像出力システム
１０１………サーバ
１０３………ネットワーク
１０５………画像出力装置
１０７………携帯電話
１０９………レシート
２０１………制御部
２０３………記憶部
２０５………通信部
２０７………表示部
２０９………入力部
２１１………入出力部
３０９………二次元コード読取機
６０３、７０１………二次元コード
【図１】
2008083915.tif 000003
【図２】
2008083915.tif 000004
【図３】
2008083915.tif 000005
【図４】
2008083915.tif 000006
【図５】
2008083915.tif 000007
【図６】
2008083915.tif 000008
【図７】
2008083915.tif 000009
【図８】
2008083915.tif 000010
【図９】
2008083915.tif 000011
【図１０】
2008083915.tif 000012
【図１１】
2008083915.tif 000013
【図１２】
2008083915.tif 000014
【図１３】
2008083915.tif 000015